(57)【要約】      （修正有）【課題】遠赤外線放射体を身体に直接的または間接的に接触させることで遠赤外線放射体の高い効果を得ることができる着用物品を提供する。【解決手段】着用物品１は、物品本体と、物品本体に取り付けられた遠赤外線放射体３とを含む。物品本体は、着用者の肌に対向する内面シート２１と、内面シート２１に対向し積層される外面シート２２と、内外面シート２１，２２の間に配置された保持シート２３とを有する。保持シート２３の内面シート２１に対向する面には、遠赤外線放射体３が取り付けられる。遠赤外線放射体３は、第１取付領域５１に配置される第１放射体３１、第２取付領域５２に配置される第２放射体３２、第３取付領域５３に配置される第３放射体３３、第４取付領域５４に配置される第４放射体３４、第５取付領域５５に配置される第５放射体３５とを含む。【選択図】図２
0003188123.tif 000002
【実用新案登録請求の範囲】
【請求項１】
物品本体と、物品本体に取り付けられた遠赤外線放射体とを備える着用物品であって、
前記物品本体は、着用時において環状に形成されるとともに弾性的に伸縮可能であり、少なくともその一部は身体に密着可能であることを特徴とする着用物品。
【請求項２】
前記物品本体は、弾性的に伸縮可能な内面シートおよび外面シートと、前記内外面シート間に配置され弾性的に伸縮可能であって前記遠赤外線放射体を保持する保持シートとを備えることを特徴とする請求項１記載の着用物品。
【考案の詳細な説明】
【技術分野】
【０００１】
この考案は、アームサポータ、レッグサポータおよびレッグウォーマ等の着用物品に関し、より詳細には、遠赤外線放射体が取り付けられた着用物品に関する。
【背景技術】
【０００２】
従来、遠赤外線放射体を収納袋に収納し、収納袋を衣類や寝具に取り付けたものが知られる。遠赤外線放射体を身体の近傍に配置することによって、遠赤外線放射による温熱作用等を得ることができる。
【先行技術文献】
【特許文献】
【０００３】
【特許文献１】特開２００２−３２０６８２号公報
【考案の概要】
【考案が解決しようとする課題】
【０００４】
しかしながら、特許文献１によれば、遠赤外線放射体が入った収納袋は、シャツやズボンの内側に取り付けられただけであるので、遠赤外線放射体と身体との間には空隙が形成され、遠赤外線放射体の効果が得られ難いという問題があった。
【０００５】
この考案では、遠赤外線放射体を身体に直接的または間接的に接触させることで遠赤外線放射体の高い効果を得ることができる着用物品を提供することを課題とする。
【課題を解決するための手段】
【０００６】
この考案は、物品本体と、物品本体に取り付けられた遠赤外線放射体とを備える着用物品であって、前記物品本体は、着用時において環状に形成されるとともに弾性的に伸縮可能であり、少なくともその一部は身体に密着可能であることを特徴とする。
【０００７】
前記物品本体は、弾性的に伸縮可能な内面シートおよび外面シートと、前記内外面シート間に配置され弾性的に伸縮可能であって前記遠赤外線放射体を保持する保持シートとを備えていてもよい。
【考案の効果】
【０００８】
この考案の着用物品によれば、物品本体が弾性的に伸縮可能であるので、物品本体に遠赤外線放射体を取り付けることによって、着用者の身体に遠赤外線放射体を直接的または、物品本体を介して間接的に身体に密着させることができる。したがって、温熱作用等の遠赤外線放射体の高い効果を期待することができる。
【図面の簡単な説明】
【０００９】
【図１】着用物品の一例であるレッグウォーマの着用状態における説明図。
【図２】着用物品の展開図。
【考案を実施するための形態】
【００１０】
着用物品１として、レッグウォーマを例に説明する。
図１は、着用物品１を脚に着用した状態を示す図であり、図２は、着用物品１を展開した図である。図２において、着用物品１の横方向Ｘの寸法を二等分する中心線６の図面右側は内面シート２１側から見た図であり、図面左側は、説明のため、内面シート２１を積層させない状態を示し、その一部を破断している。また、説明のため、すべての皺をのばした状態を示す。
【００１１】
着用物品１は、物品本体２と、物品本体２に取り付けられた遠赤外線放射体３とを含む。物品本体２は、着用者の肌に対向する内面シート２１と、内面シート２１に対向し積層される外面シート２２と、内外面シート２１，２２の間に配置された保持シート２３とを有する。内面シート２１および外面シート２２は、弾性的に伸縮可能な織布または不織布を用いることができる。この実施形態では、スウェット生地を用いる。このような生地を用いることで、内面シート２１が着用者の肌に密着しやすく、かつ肌触りの良い着用物品１とすることができる。
【００１２】
着用物品１は、縦方向Ｙおよび横方向Ｘを有するとともに、縦方向Ｙに離間する上端１１および下端１２に開口部を有する筒形、すなわち環状である。着用物品１は、着用者の脚の特に膝から下に位置するように着用することができる。上端１１および下端１２には、横方向Ｘへ延びるゴム紐等の上端弾性体４１および下端弾性体４２が取り付けられる。具体的には、内面シート２１および外面シート２２の間に、横方向Ｘへ伸長状態で収縮可能に取り付ける。上端弾性体４１および下端弾性体４２を取り付けることによって、上端１１および下端１２を確実に着用者に肌に密着させ、着用物品１がずり下がるのを防止することができる。
【００１３】
上端１１および下端１２から縦方向Ｙ内側には、横方向Ｘへ延びる糸ゴム等の中間弾性体４３，４４がさらに取り付けられる。具体的に、中間弾性体４３，４４は、内面シート２１および外面シート２２の間に、横方向Ｘへ伸長状態で伸縮可能に取り付ける。中間弾性体４３，４４は上端弾性体４１および下端弾性体４２よりも伸縮率が低いものを用いることができる。中間弾性体４３，４４を用いることによって、上端１１および下端１２の縦方向Ｙ内側においても、物品本体２を着用者の肌に密着させることができる。
【００１４】
内面シート２１と外面シート２２との間には、保持シート２３が配置される。すなわち、外面シート２２の内面シート２１に対向する面には、保持シート２３が積層される。保持シート２３は弾性的に伸縮可能な織布または不織布を用いることができる。保持シート２３として、例えば、パワーネットを用いることもできる。内面シート２１、外面シート２２および保持シート２３は、同形同大であって、保持シート２３は、内面シート２１および外面シート２２よりも伸縮率が高い。内面シート２１、外面シート２２および保持シート２３は、中心線６を軸にした線対称に形成される。
【００１５】  保持シート２３の内面シート２１に対向する面には、遠赤外線放射体３が取り付けられる。遠赤外線放射体３としては、例えば、(公序良俗違反につき、不掲載）の陶器を用いることができる。(公序良俗違反につき、不掲載）の陶器は、陶土と金属成分とを混練して形成したものであって、常温下で約４〜２５マイクロメートルの波長の遠赤外線を放出する。遠赤外線放射体３は、第１取付領域５１に配置される第１放射体３１、第２取付領域５２に配置される第２放射体３２、第３取付領域５３に配置される第３放射体３３、第４取付領域５４に配置される第４放射体３４、および、第５取付領域５５に配置される第５放射体３５を含む。
【００１６】
第１取付領域５１は、横方向Ｘへ延びるとともに、上端弾性体４１と、その内側にある中間弾性体４３との間に設けられる。第１取付領域５１には、直径約１０ｍｍ〜３０ｍｍの第１放射体３１が横方向Ｘへ離間して４個取り付けられる。第１放射体３１は、中心線６を軸に線対称に設けられる。第２取付領域５２は、横方向Ｘへ延びるとともに、下端弾性体４２と、その内側にある中間弾性体４４との間に設けられ、直径約１０〜３０ｍｍの第２放射体３２が横方向Ｘへ離間して２個取り付けられる。第２放射体３２は、中心線６を軸に線対称に設けられる。この実施形態において、第１放射体３１と第２放射体３２とは同じ形状のものを用いる。
【００１７】
第３取付領域５３は、横方向Ｘへ延びるとともに、下端弾性体４２と第２取付領域５２との間に設けられ、第１および第２放射体３１，３２よりも径の小さい第３放射体３３が取り付けられる。第３放射体３３の直径は約５〜６ｍｍであり、少なくともその一部に球面を有する。第３放射体３３は、２つを一組として、横方向Ｘへ離間して六組設けられ、中心線６を軸に線対称である。中間弾性体４３，４４の縦方向Ｙの間には、第４取付領域５４および第５取付領域５５が設けられる。第４および第５取付領域５４，５５は、縦方向Ｙへ延びるとともに、横方向Ｘへ離間し、中心線６を軸に線対称に設けられる。第４および第５取付領域５４，５５に配置された第４および第５放射体３４，３５は第３放射体３３と同様の大きさを有し、縦方向Ｙへ離間してそれぞれ６個取り付けられる。
【００１８】
第３放射体３３、第４放射体３４、および第５放射体３５は、第１および第２放射体３１，３２よりもその径が小さいが、一部が球形であることによって、遠赤外線が放射線状に均一に放出され、温熱等の効果を得られやすい。
【００１９】
第１〜第５取付領域５１〜５５には、第１〜第５放射体３１〜３５を保持シート２３との間で保持するための第１〜第５シート片２４〜２８がそれぞれ取り付けられる。第１〜第５シート片２４〜２８は、第１〜第５取付領域５１〜５５のそれぞれとほぼ同形であって、第１〜第５放射体３１〜３５を挟んで保持シート２３に積層される。保持シート２３と第１〜第５シート片２４〜２８とは、第１〜第５放射体３１〜３５を囲むように、その周囲で互いに接合される。接合方法としては、例えば、ミシン等によるステッチを用いることができる。
【００２０】
第１〜第５シート片２４〜２８は、保持シート２３との剥離を防止するため、適宜ミシン等によるステッチで接合されてもよい。この実施形態では第１シート片２４および第３シート片２５と保持シート２３とが、中心線６近傍でステッチによってそれぞれ互いに接合される。
第１〜第５放射体３１〜３５は、シート片で包んでから保持シート２３に取り付けることもできる。第１〜第５シート片２４〜２８としては、弾性的に伸縮可能な織布または不織布を使用することができ、例えば、保持シート２３と同じパワーネットを用いることができる。
【００２１】
図２に示した物品本体２は、縦方向Ｙへ延びる両側縁１３を互いに接合することによって、筒状の着用物品１とすることができる。この実施形態において、上端１１の横方向Ｘにおける寸法を、下端１２の横方向Ｘにおける寸法よりも大きくし、それぞれに上端弾性体４１および下端弾性体４２を配置している。したがって、着用状態において上端１１を比較的太い着用者の膝下では締め付けすぎず、下端１２では比較的細い足首にフィットさせることができる。
【００２２】
着用物品１を着用したとき、第１取付領域５１が着用者の膝下に位置する。膝下には、経穴である足三里、陽陵泉、陰陵泉が存在し、少なくとも第１放射体３１のいずれかはこれら経穴の近傍に配置される。また、着用物品１の第２取付領域５２および第３取付領域５３は着用者の足首に位置する。内踝には、経穴である三陰交があり、少なくとも第２放射体３２、第３放射体３３のいずれかはこの三陰交の近傍に配置される。遠赤外線放射体３が経穴の近傍に配置されることによって、放射される遠赤外線効果によって、経穴が刺激され、血流促進等の作用を期待できる。第４取付領域５４または第５取付領域５５のいずれか一方がふくらはぎに位置し、他方が脛に位置するように着用することができる。遠赤外線放射体３がふくらはぎ等の筋肉の近傍に配置されることによって、遠赤外線効果による筋肉の疲労回復等を期待できる。
【００２３】
この実施形態において、第１〜第３放射体３１〜３３は、中心線６に対称に配置され、第４および第５放射体３４，３５も中心線６に対称に配置される。したがって、着用物品１を左右のどちらの脚に着用しても同様の効果を得ることができる。また、着用物品１のどの面を正面にしたとしても、各経穴の近傍に遠赤外線放射体３を位置させることができる。
【００２４】
この実施形態の着用物品１によれば、物品本体２が弾性的に伸縮可能であるので、着用者の肌との間に大きな空隙が形成されることなく、遠赤外線放射体３の少なくとも一部は、着用者に直接的または間接的に接触可能となる。しかも、伸縮性の高い保持シート２３を備え、これに遠赤外線放射体３を取り付けることとしたので、より一層、遠赤外線放射体３は、着用者の肌に接近して配置される。したがって、遠赤外線放射体３のより高い効果を得ることができる。
【００２５】
この実施形態では、着用物品１としてレッグウォーマを例に説明したが、これに限られるものではない。例えば、アームサポータ、レッグサポータ、腰用サポータ、ネックウォーマ、肩サポータ、腹巻等、着用者の体に密着させるようなものであれば、どのようなものにも適用することができる。また、遠赤外線放射体３の数、大きさおよび配置は、例えば、着用物品の大きさ、使用目的に応じて適宜変更可能である。
【００２６】
着用物品１を構成する各構成部材には、本明細書に記載されている材料のほかに、この種の分野において通常用いられている、各種の公知の材料を制限なく用いることができる。また、本考案の明細書および実用新案登録請求の範囲において、用語「第１」、「第２」、「第３」、「第４」および「第５」は、同称の要素、位置等を単に区別するために用いられている。
【符号の説明】
【００２７】
１  着用物品
２  物品本体
３  遠赤外線放射体
２１  内面シート
２２  外面シート
２３  保持シート
２４  第１シート片（シート片）
２５  第２シート片（シート片）
２６  第３シート片（シート片）
２７  第４シート片（シート片）
２８  第５シート片（シート片）
【図１】
0003188123.tif 000003
【図２】
0003188123.tif 000004
【手続補正書】
【提出日】平成25年11月1日(2013.11.1)
【手続補正１】
【補正対象書類名】明細書
【補正対象項目名】００１５
【補正方法】変更
【補正の内容】
【００１５】
保持シート２３の内面シート２１に対向する面には、遠赤外線放射体３が取り付けられる。遠赤外線放射体３としては、例えば、陶土と金属成分とを混練して形成したものであって、常温下で約４〜２５マイクロメートルの波長の遠赤外線を放出する陶器を用いることができる。遠赤外線放射体３は、第１取付領域５１に配置される第１放射体３１、第２取付領域５２に配置される第２放射体３２、第３取付領域５３に配置される第３放射体３３、第４取付領域５４に配置される第４放射体３４、および、第５取付領域５５に配置される第５放射体３５を含む。